(57)【要約】【課題】ＤＶＤカムコーダーなどにおける光ディスク装置内の光ピックアップおよびその周辺の発熱部品の冷却を目的とした冷却機構を有した光ディスク装置を提供する。【解決手段】情報記録再生時に回転させる光記録媒体を格納する筐体と、前記筐体に前記光記録媒体を脱着するために前記筐体に開閉可能に取り付けられた蓋部と、前記蓋部は、第１の蓋と前記第１の蓋の前記光記録媒体側の表面を覆うように取り付けられた第２の蓋とから構成され、前記第１の蓋には前記筐体外部の空気を吸入するための第１と第２の流入孔と筐体内部の空気を排出するための第１と第２の排出孔とを持ち、前記第２の蓋には前記第１と第２の蓋の間の空気を吸入するために前記光記録媒体の回転中心に設けられた第３の流入孔と前記筐体内部の空気を排出する第３と第４の排出孔とを持つ、光ディスク装置。【選択図】図１
2007250156.tif 000002
【特許請求の範囲】
【請求項１】
情報記録再生時に回転させる光記録媒体を格納する筐体と、
前記筐体に前記光記録媒体を脱着するために前記筐体に開閉可能に取り付けられた蓋部と、
前記蓋部は、第１の蓋と前記第１の蓋の前記光記録媒体側の表面を覆うように取り付けられた第２の蓋とから構成され、
前記第１の蓋には前記筐体外部の空気を吸入するための第１と第２の流入孔と筐体内部の空気を排出するための第１と第２の排出孔とを持ち、前記第２の蓋には前記第１と第２の蓋の間の空気を吸入するために前記光記録媒体の回転中心に設けられた第３の流入孔と前記筐体内部の空気を排出する第３と第４の排出孔とを持つ、光ディスク装置。
【請求項２】
前記第１と第２の流入孔は前記第１の蓋部の周縁部に配置され、前記第１の流入孔は前記第１の蓋部の略中心に関して前記第２の流入孔と互いに反対の位置に配置されている、請求項１に記載の光ディスク装置。
【請求項３】
前記第３の流入孔は、前記筐体外部から流入する空気の流入抵抗を低減し、循環効率を向上させるため円形状とし、縁断面形状を半円とした、請求項１に記載の光ディスク装置。
【請求項４】
前記第３と第４の排出孔の少なくとも一方は、前記第３の流入孔より前記筐体内部に導入された空気の流出抵抗を低減するために縁断面形状を半円とした、請求項１に記載の光ディスク装置。
【請求項５】
前記第１と第２の流入孔の少なくとも一方には、撥水コーティングを施した空孔率６０％以上、通気度３０ｓ以内とするエチレン系樹脂を使用した多孔質膜フィルターを備えた、請求項１に記載の光ディスク装置
【請求項６】
前記第１と第２の排出孔の少なくとも一方には、撥水コーティングを施した空孔率６０％以上、通気度３０ｓ以内とするエチレン系樹脂を使用した多孔質膜フィルターを備えた、請求項１に記載の光ディスク装置
【発明の詳細な説明】
【技術分野】
【０００１】
本発明は、光ディスク装置に関し、より詳細には、冷却機構を有した光ディスク装置の光ピックアップ部及びその周辺部品の放熱設計技術に関する。また、本発明は、冷却機構を有した光ディスク装置に係り、特にＤＶＤカムコーダーに好適に利用できるものである。
【背景技術】
【０００２】
従来の光ディスク装置における冷却方法の構成を図９〜１１に示す。図９は従来の光ディスク装置の内部構造を示した傾斜図を示す。１４は光記録媒体、１５はトレイ、１５ａはスリット孔、１６は光ピックアップ、１８は電気基板、１９は底面カバー、２０は通風孔、２１は本体カバー、２２は本体シャーシを示す。図１０と図１１には従来の光ディスク装置の動作説明図を示す。
【０００３】
図１０に示すように光記録媒体１４が回転を開始すると、光記録媒体１４の上面において光記録媒体外周方向に向かって矢印で示すような空気の流れが発生する。そして、光記録媒体１４によって発生した空気の流れは、トレイ１５に多数設けられたスリット孔１５ａを通過し、ディスク装置内部に送られ、ディスク装置内部に取り付けられた電機基板１８、スピンドルに到達し、電気基板１８、スピンドルを冷却する。さらに図１１に示すように光記録媒体１４の回転によって発生した空気の流れを円滑にするために、底面カバー１９に設けられた通風孔２０から、電気基板１８、スピンドル部品の冷却に使用された空気を排出し、冷却に用いる空気の抜けをよくしてある。このようにスリット孔１５ａと通風孔２０を設けて空気の流路を確実に確保し、トレイ１５内部の空気滞留を防止することにより、電気基板１８、スピンドル部品の発熱部品を十分に冷却する事ができる。
【特許文献１】特開平８−３３９６７８号公報
【発明の開示】
【発明が解決しようとする課題】
【０００４】
上記従来の光ディスク装置はパソコンに組み込むための構成を前提としており、トレイにスリット孔を設けることで、光記録媒体の回転を利用しディスク装置内の空気を循環させ、光ピックアップおよび周辺部品を冷却することが出来る。ところが、ＤＶＤカムコーダーのように非常に小型化された商品に光ディスク装置を組み込むためには、組み込むための構造が異なるため、前記従来技術のようなトレイ構造を適用することが出来ない。
【０００５】
本発明は、前記従来の課題を解決するもので、ＤＶＤカムコーダーなどにおける光ディスク装置内の光ピックアップおよびその周辺の発熱部品の冷却を目的とした冷却機構を有した光ディスク装置を提供するものである。
【課題を解決するための手段】
【０００６】
前記従来の課題を解決するために、本発明の光ディスク装置は、情報記録再生時に回転させる光記録媒体を格納する筐体と、前記筐体に前記光記録媒体を脱着するために前記筐体に開閉可能に取り付けられた蓋部と、前記蓋部は、第１の蓋と前記第１の蓋の前記光記録媒体側の表面を覆うように取り付けられた第２の蓋とから構成され、前記第１の蓋には前記筐体外部の空気を吸入するための第１と第２の流入孔と筐体内部の空気を排出するための第１と第２の排出孔とを持ち、前記第２の蓋には前記第１と第２の蓋の間の空気を吸入するために前記光記録媒体の回転中心に設けられた第３の流入孔と前記筐体内部の空気を排出する第３と第４の排出孔とを持つ事を特徴としたものである。
【０００７】
さらに本発明の光ディスク装置において、前記第１と第２の流入孔は前記第１の蓋部の周縁部に配置され、前記第１の流入孔は前記第１の蓋部の略中心に関して前記第２の流入孔と互いに反対の位置に配置されている事を特徴としたものである。
【０００８】
さらに本発明の光ディスク装置において、前記第３の流入孔は、前記筐体外部から流入する空気の流入抵抗を低減し、循環効率を向上させるため円形状とし、縁断面形状を半円とした事を特徴としたものである。
【０００９】
さらに本発明の光ディスク装置において、前記第３と第４の排出孔の少なくとも一方は、前記第３の流入孔より前記筐体内部に導入された空気の流出抵抗を低減するために縁断面形状を半円とした事を特徴としたものである。
【００１０】
さらに本発明の光ディスク装置において、前記第１と第２の流入孔の少なくとも一方には、撥水コーティングを施した空孔率６０％以上、通気度３０ｓ以内とするエチレン系樹脂を使用した多孔質膜フィルターを備えた事を特徴としたものである。
【００１１】
さらに本発明の光ディスク装置において、前記第１と第２の排出孔の少なくとも一方には、撥水コーティングを施した空孔率６０％以上、通気度３０ｓ以内とするエチレン系樹脂を使用した多孔質膜フィルターを備えた事を特徴としたものである。
【発明の効果】
【００１２】
本発明の光ディスク装置によれば、蓋部の効果的な位置に設けた流入孔および排出孔によって、光記録媒体の回転で発生する空気の流れが促進され、外気の導入と筐体内空気の外部への排出を効果的に促す事が可能であり、これによって光ピックアップ及びその周辺の発熱部品を冷却することができる。
【発明を実施するための最良の形態】
【００１３】
以下に、本発明の光ディスク装置の実施の形態を図面とともに詳細に説明する。
【実施例】
【００１４】
図１〜８により本発明の実施例１について説明する。図１は第１の実施例における光ディスク装置の概要を示す傾斜図である。光ディスク装置は情報記録再生時に回転させる光記録媒体１４を格納する筐体１と、前記筐体から前記光記録媒体１４を脱着するために前記筐体１に開閉可能に取り付けられた蓋部２で構成している。
【００１５】
図２、３は第１の実施例における光ディスク装置に取り付けた蓋の構成について示す。  
【００１６】
蓋部２は第１の蓋３と前記第１の蓋３の前記光記録媒体側の表面を覆うように取り付けられた第２の蓋４とからなり、図２に示す前記第１の蓋３は、筐体外部の空気を筐体１に吸入するための第１と第２の流入孔５、６と筐体内部の空気を筐体外部に排出するための第１と第２の排出孔８、９とで構成している。前記第１と第２の流入孔５、６及び第１と第２の排出孔８、９は前記第１の蓋３の周縁部に配置され前記筐体１を操作する際に手で塞ぐ事がないように考慮されている。前記第１の流入孔５は前記第２の流入孔６と互いに反対の位置に配置され、これにより流入孔面積を可能な限り大きくし冷却効果が促進される構成とする。前記第１と第２の排出孔８、９は前記筐体内部からの空気が操作者側に流出することが無い様に、被写体側に向かって配置されている。
【００１７】
図３に示す前記第２の蓋４は、前記光記録媒体１４の回転中心に面して設けられた第３の流入孔７と前記筐体内部の空気を排出する第３と第４の排出孔１０、１１とで構成している。前記第３の流入孔７は前記光記録媒体１４の回転中心に面して設け、前記筐体外部より流入する空気の流入抵抗を低減するため円形状とし、その直径は光記録媒体１４の遠心力を効果的に利用するためｄ＝１５〜３０ｍｍとした。また図４にＢ−Ｂ‘断面の略概念図に示すように前記第３の流入孔７と前記第３と第４の排出孔１０、１１の縁断面形状は前記筐体外部からの空気を流入および内部からの空気を排出する際、空気の流入・流出抵抗をより低減させるために半円形状とする。同様に滑らかな流入・流出を促すために前記縁断面形状は図５、６に示すようなテーパー形状もしくは１／４円形状でも良い。更に、このような滑らかな流入・流出を促進する類似断面形状は本発明の基本概念に含まれる。
【００１８】
この様に本発明においては、前記筐体１に前記光記録媒体１４を格納し、前記蓋部２を閉じて前記光記録媒体１４を回転させた時に、前記筐体内部の空気が前記第３と第４の排出孔１０、１１を通り、前記第１と第２の排出孔８、９から前記筐体外部に排出される。この時筐体内部で発生した負圧により前記筐体外部の空気が前記第１と第２の流入孔５、６より流入し、前記第３の流入孔７を経由して前記筐体内部に導入される。
【００１９】
本発明に基づき蓋部に流入・排出孔を配置すれば、ディスク回転による空気の流れを効果的に利用でき、筐体内部の高温の空気を冷却出来る。冷却の効果は、本発明を実施していない場合では、光ピックアップ１６付近の温度は外気温に対して３０℃の温度上昇が見られたが、本発明を実施するとその温度上昇は２６℃に抑制できた。すなわち、４℃の冷却効果が得られた。
【００２０】
図７、８は本発明の第２の実施例における蓋部を説明するものであり、外気に面する前記流入・排出孔に水滴・粉塵の流入を防止するフィルターを設けたものである。即ち図７、８に示すように、前記第１と第２の流入孔５、６と前記第１と第２の排出孔８、９には前記筐体外部からの水滴・粉塵の進入を許さず、空気や湿度など小さい分子のみを通過させる事を可能とする多孔質膜フィルター１２を配置する。前記多孔質膜フィルター１２には、撥水コーティングが施され、エチレン系樹脂で構成し、防塵効果と通気性のバランスを考慮して空孔率６０％以上、通気度３０ｓ以内とすることが低い圧力損失で高流量を確保する事のできる最適形状であった。しかし前記多孔質膜フィルター１２の空孔率が６０％未満、通気度が３０ｓより大きくなると、前記第１と第２の流入孔５、６及び前記第１と第２の排出孔８、９の圧力損失が高くなり、冷却に必要な流量を流入・排出する事ができなくなるため、筐体内の冷却効果を損なう事になる。
【００２１】
以上の説明より明らかなように本発明によれば、前記光記録媒体１４の回転による空気循環が効果的に促される様な、前記第１と第２の蓋３、４に設けられた流入・排出孔により、前記筐体内に存在する発熱部品に対して高い冷却効果を得る事が出来る。また筐体内における空気の滞留を防止し、空気の放熱効果低減を抑制する事が出来るものである。
【００２２】
以上の構成により光ディスク装置内にある光ピックアップ１６および周辺部品の温度を効果的に冷却することができる。
【図面の簡単な説明】
【００２３】
【図１】本発明の実施例１における光ディスク装置の概要を示す傾斜図
【図２】本発明の実施例１における第１の蓋の構造を示す断面図
【図３】本発明の実施例１における第２の蓋の構造を示す断面図
【図４】本発明の実施例１における第２の蓋の構造を示す略概念図
【図５】本発明の実施例１における第２の蓋の他の構造を示す略概念図
【図６】本発明の実施例１における第２の蓋の更に他の構造を示す略概念図
【図７】本発明の実施例２における第１と第２の流入孔に設けた多孔質膜フィルター        を示す断面図
【図８】本発明の実施例２における第１と第２の排出孔に設けた多孔質膜フィルター        を示す断面図
【図９】従来のディスク再生装置の内部構造を示す傾斜図
【図１０】従来のディスク再生装置の動作説明図
【図１１】従来のディスク再生装置の動作説明図
【符号の説明】
【００２４】
１    筐体
２    蓋部
３    第１の蓋
４    第２の蓋
５    第１の流入孔
６    第２の流入孔
７    第３の流入孔
８    第１の排出孔
９    第２の排出孔
１０    第３の排出孔
１１    第４の排出孔
１２    多孔質膜フィルター
１４    光記録媒体
１５    トレイ
１５ａ  スリット孔
１６    光ピックアップ
１８    電気基板
１９    底面カバー
２０    通風孔
２１    本体カバー
２２    本体シャーシ
【図１】
2007250156.tif 000003
【図２】
2007250156.tif 000004
【図３】
2007250156.tif 000005
【図４】
2007250156.tif 000006
【図５】
2007250156.tif 000007
【図６】
2007250156.tif 000008
【図７】
2007250156.tif 000009
【図８】
2007250156.tif 000010
【図９】
2007250156.tif 000011
【図１０】
2007250156.tif 000012
【図１１】
2007250156.tif 000013